(57)【特許請求の範囲】
【請求項１】
カードが挿着される収納部を有するハウジングと、カードの挿入及び排出に伴いカードと係合してカードの挿入及び排出方向に移動可能に配設されたスライド部材と、このスライド部材をカードの挿着位置にロックすると共に、前記スライド部材をロック位置から奥方へ移動させることによりロックを解除させるロックピン及びこのロックピンが摺動するハート型カム溝からなるロック手段とを備え、前記スライド部材には、カードの係止用凹部に係合する係合部材が設けられ、前記ハウジングには、前記スライド部材がカードの挿入方向へ移動するのに伴って、前記係合部材を前記収納部内へ突出する位置へ移動させて前記係止用凹部に係合させる第１規制溝と、この第１規制溝に連結され、前記係止用凹部のないカードが挿入された時には、前記係合部材を前記収納部内へ突出させない位置へ移動させる第２規制溝とを形成し、前記係合部材は、前記スライド部材に固着される固定部と、前記カードの係止用凹部に係合される係止部と、この係止部を前記第１、及び第２規制溝に沿って前記収納部内へ突出する位置と突出しない位置とに可動させる弾性片部とから形成され、前記係止部に、前記第１、及び第２規制溝と摺動する摺動ピンを形成し、前記係止用凹部のあるカードが挿入された時には前記摺動ピンが前記第１規制溝の壁部と当接して、前記係止部が前記カードの係止用凹部から離脱するのを規制するようにしたことを特徴とするカード用コネクタ装置。
【請求項２】
前記係止部には、カードの排出方向と直交する方向に係止縁部が形成されており、この係止縁部が前記係止用凹部の内側縁部と係合することにより前記カードの排出方向への移動を規制していることを特徴とする請求項１記載のカード用コネクタ装置。
【請求項３】
前記第１、及び第２規制溝には、お互いを連結する連結溝を形成し、カードの挿入及び排出時には前記摺動ピンが前記連結溝を通して前記第１規制溝と前記第２規制溝との間を移動可能に形成したことを特徴とする請求項１記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用されるようになってきている。
【０００３】
このＰＣカードやメモリーカードをカード用コネクタ装置に挿着して必要な情報の書き込み、及び読み取りを行うものであるが、カード用コネクタ装置には、カードを収容してカードの挿入方向へ移動可能なスライド部材を、カードの挿着位置に保持するロック機構を備えたものがある。この挿着位置に保持されたカードをカードの排出位置に排出させる場合には、ロックされたスライド部材のロックを解除することにより、スライド部材をカードの排出方向へ付勢している復帰ばねの付勢力によってスライド部材をカードの排出方向へ移動させることにより、カードをスライド部材と共に押し出すようにした構成のものが知られている。
【０００４】
この場合、スライド部材はロック機構によってカードの挿着位置にロックされるが、カードは挿着位置ではコネクタ端子などの端子圧によって保持されているのみであり、カードが振動などによって抜け出してしまう虞があることから、カードの保持を確実にするために昨今では、カードを収容するスライド部材の内側面に弾性を有する係合突出部を形成し、この係合突出部を挿着位置に有るカードの係止用凹部と係合させることでカードを保持する構成が提案されている。
【０００５】
また、メモリーカードには係止用凹部が設けられたタイプのものと、設けられていないタイプのものとがあり、通常、係止用凹部が設けられたタイプ用のカード用コネクタ装置では、２種類のメモリーカードのどちらでも挿着可能な構成になっている。
【０００６】
そして、係止用凹部が設けられたタイプ用のカード用コネクタ装置に、係止用凹部が設けられていないタイプのカードを挿着する場合には、前記スライド部材に設けられた係合突出部は、カード側面で押圧されて弾性付勢されて外側に移動した状態でカードがカード挿着位置に保持されるものとなっている。
【０００７】
【発明が解決しようとする課題】
ここで、上記構成において、係止用凹部が設けられたタイプのカードの保持をより高めたい場合がある。保持を高めるためには、弾性変形可能な係合突出部の構造を剛体に変え、スライド部材の移動と共に係合突出部を突出させて係止用凹部と係合するように構成しカードの係止用凹部から抜け難い構造にすればよいが、この場合には、係止用凹部が設けられていないカードを挿入した場合にも、スライド部材の移動に伴い剛体である係合突出部がカードの側面部へ突出するため、無理にカードを挿入した場合には、カード、あるいは係合突出部が破損してしまうという問題があった。
【０００８】
したがって、本発明では上述した問題点を解決し、係止用凹部が設けられたタイプ、及び設けられていないタイプのカードの両方を挿着できるカード用コネクタ装置であって、係止用凹部が設けられたタイプの挿着位置におけるカードの保持を高めることができるカード用コネクタ装置を提供することを目的とする。
【０００９】
【課題を解決するための手段】
上記課題を解決するために本発明では第１の手段として、カードが挿着される収納部を有するハウジングと、カードの挿入及び排出に伴いカードと係合してカードの挿入及び排出方向に移動可能に配設されたスライド部材と、このスライド部材をカードの挿着位置にロックすると共に、前記スライド部材をロック位置から奥方へ移動させることによりロックを解除させるロックピン及びこのロックピンが摺動するハート型カム溝からなるロック手段とを備え、前記スライド部材には、カードの係止用凹部に係合する係合部材が設けられ、前記ハウジングには、前記スライド部材がカードの挿入方向へ移動するのに伴って、前記係合部材を前記収納部内へ突出する位置へ移動させて前記係止用凹部に係合させる第１規制溝と、この第１規制溝に連結され、前記係止用凹部のないカードが挿入された時には、前記係合部材を前記収納部内へ突出させない位置へ移動させる第２規制溝とを形成し、前記係合部材は、前記スライド部材に固着される固定部と、前記カードの係止用凹部に係合される係止部と、この係止部を前記第１、及び第２規制溝に沿って前記収納部内へ突出する位置と突出しない位置とに可動させる弾性片部とから形成され、前記係止部に、前記第１、及び第２規制溝と摺動する摺動ピンを形成し、前記係止用凹部のあるカードが挿入された時には前記摺動ピンが前記第１規制溝の壁部と当接して、前記係止部が前記カードの係止用凹部から離脱するのを規制するようにしたことを特徴とする。
【００１２】
また、第２の手段として、前記係止部には、カードの排出方向と直交する方向に係止縁部が形成されており、この係止縁部が前記係止用凹部の内側縁部と係合することにより前記カードの排出方向への移動を規制していることを特徴とする。
【００１３】
また、第３の手段として、前記第１、及び第２規制溝には、お互いを連結する連結溝を形成し、カードの挿入及び排出時には前記摺動ピンが前記連結溝を通して前記第１規制溝と前記第２規制溝との間を移動可能に形成したことを特徴とする。
【００１４】
【発明の実施の形態】
以下、本発明の実施形態を図１乃至図９に示す。図１はカード用コネクタ装置の平面図、図２は同じく縦断面図、図３はカード用コネクタ装置にカードを挿入した状態を示す平面図、図４はハウジングの平面図、図５はスライド部材の平面図、図６及び図７はカードの挿入及び排出時の動作状態を示し、図６はカードの排出位置（初期位置）を示す部分説明図、図７はカードの挿着位置（ロック位置）を示す部分説明図、図８及び図９は係止用凹部がないカードの挿入及び排出時の動作状態を示し、図８はカードの排出位置（初期位置）を示す部分説明図、図９はカードの挿着位置（ロック位置）を示す部分説明図である。
【００１５】
図１乃至図５において、ハウジング１は、合成樹脂などの絶縁材で前方及び上方が開口された方形状の箱形に形成されている。このハウジング１の中央には、カードを収容するための収納部１ａが設けられており、また、前記ハウジング１の前面には、前記収納部１ａに連通するカード挿入部１ｂが形成されている。
【００１６】
また、カード挿入部１ｂに対向する前記収納部１ａの奥側には、収容されるカードの接触端子部（図示せず）と接触して、電子機器などの外部の回路基板上の回路パターンと接続されることで信号の伝送が行われる複数のコネクタ端子（図示せず）が並設されたものとなっている。また、前記収納部１ａの両側部には、カードが挿入される際カードの側縁部をガイドして挿入を案内するガイド部１ｃが設けられている。
【００１７】
前記ハウジング１の一側部には、前記収納部１ａに並設して有底状の平坦部１ｄが設けられており、この平坦部１ｄに後述するスライド部材４がカードの挿入方向に移動可能に配設されるものとなっている。また、前記平坦部１ｄの中央には、後述するスライド部材４に設けられた係合部材５と係合する略Ｕ字状をした溝部からなる規制溝１ｅが形成されている。
【００１８】
前記規制溝１ｅには、Ｕ字状の前記規制溝１ｅの左側に位置し、カードの挿入方向へ直線状に形成された第１規制溝１ｆと、この第１規制溝１ｆの右側に位置し、同じくカードの挿入方向へ直線状に形成された第２規制溝１ｇと、前記第１、及び第２規制溝１ｆ、１ｇの前端部をそれぞれ連結している広幅の連結溝１ｈとから形成されたものとなっている。
【００１９】
また、カードの挿入時に後述するスライド部材４に設けられた係合部材５がそれぞれの前記規制溝１ｅと係合するようになっており、この場合、前記第１規制溝１ｆは、カードの側縁部に係止用凹部が設けられているタイプのカードが挿入された時に、係合部材５を前記ハウジング１の収納部１ａ内へ突出する位置へ移動させるものとなっており、また、前記第２規制溝１ｇは、カードの側縁部に係止用凹部が設けられていないタイプのカードが挿入された時に、係合部材５を前記ハウジング１の収納部１ａ内へ突出させない位置へ移動させるものとなっている。
【００２０】
また、前記第１、及び第２規制溝１ｆ、１ｇには、お互いの前端部を連結する幅広の連結溝１ｈが形成されており、カードの挿入、及び排出時には前記係合部材５が前記連結溝１ｈを通して前記第１規制溝１ｆと前記第２規制溝１ｇとの間を移動可能となるように形成されている。
【００２１】
また、前記平坦部１ｄの一端側には、後述するスライド部材４をカードの挿着位置にロックさせる、略Ｕ字状の金属材からなるロックピン２の一端が軸支される軸孔１ｉが形成されており、この軸孔１ｉと対向する他端側には、後述するスライド部材４をカードの排出方向へ付勢する、コイル状の復帰ばね３が収容されるばね収容部１ｊが形成されている。
【００２２】
スライド部材４は、合成樹脂などの絶縁材から略Ｌ字状に形成されており、長方形状の基部４ａと、この基部４ａの先端側に交差する方向に延設されたカード受け部４ｂとを有している。このカード受け部４ｂは、前記ハウジング１の収納部１ａ内に突出されており、挿入される後述するカード７の前端縁と当接して前記スライド部材４をカードの挿入方向へ移動させるものとなっている。
【００２３】
また、前記基部４ａの中央下面側には、後述する係合部材５が揺動可能に保持される係合部材保持部４ｃが形成されており、この係合部材保持部４ｃには、係合部材５の固定部５ａを支持する支持孔部４ｄが設けられている。また、前記基部４ａの後端側上面には、複数の斜面や平面からなる環状のハート型カム溝４ｅが形成されている。このハート型カム溝４ｅに、前記ハウジング１の平坦部１ｄの一端側に軸支される前記ロックピン２の他端側が摺動することで、前記スライド部材４がカードの挿着位置にロックされ、また排出位置に移動されるものとなっている。
【００２４】
また、前記基部４ａの先端側には、前記ハウジング１のばね収容部１ｊに収容された、前記復帰ばね３の一端側が係止されるばね係止部４ｆが設けられており、前記復帰ばね３の付勢力によって前記スライド部材４はカードの排出方向へ付勢されるものとなっている。この時、前記ロックピン２と前記ハート型カム溝４ｅとの協同によって前記スライド部材４は、前記復帰ばね３の付勢力に抗してカードの挿着位置に保持されるものとなっている。
【００２５】
係合部材５は、弾性を有する金属板を打ち抜き、複数箇所で折り曲げて弾性変形可能に形成されており、前記スライド部材４の係合部材保持部４ｃに揺動可能に保持されている。この係合部材５の一端部には、前記支持孔部４ｄに固着される固定部５ａが設けられており、これと対向する他端部には、後述するカード７の係止用凹部７ｄに係合される鉤状をした係止部５ｂが形成されている。また、前記固定部５ａと前記係止部５ｂの中間部には、板ばね状の弾性変形可能な弾性片部５ｃが折り曲げられて形成されている。
【００２６】
そして、前記係合部材５が前記スライド部材４と共にカードの挿着位置に移動する途中において、前記弾性片部５ｃが弾性変形することにより、前記係止部５ｂを、前記規制溝１ｅに沿って前記ハウジング１の収納部１ａ内へ突出する位置と突出しない位置とに移動可能となるように形成されたものとなっている。
【００２７】
また、鉤状をした前記係止部５ｂには、カードの排出方向と直交する方向に平行面からなる係止縁部５ｄが形成されており、この係止縁部５ｄがカード７の係止用凹部７ｄの内側縁部と係合することによりカードの排出方向への移動を規制するものとなっている。また、前記係止部５ｂには、前記規制溝１ｅを摺動する摺動ピン５ｅが形成されており、この摺動ピン５ｅが前記規制溝１ｅと係合、摺動することにより前記弾性片部５ｃが弾性変形されて、前記係止部５ｂとカード７の係止用凹部７ｄとの係合離脱を可能としている。
【００２８】
また、カードの挿入時に、カードの側縁部に係止用凹部のないタイプのカードが挿入された場合には、カードの側縁部で前記係止部５ｂが押圧されて前記弾性片部５ｃが弾性変形することにより、前記摺動ピン５ｅが前記連結溝１ｈを通して前記規制溝１ｅの第２規制溝１ｇ内に案内されるものとなる。この時、前記第２規制溝１ｇにより前記係止部５ｂが前記ハウジング１の収納部１ａ内へ突出しない位置へ案内されるものとなり前記スライド部材４はカードの挿入方向へ移動するものとなっている。
【００２９】
カバー６は、導電性の金属板から形成されており、前記ハウジング１の上面側の開口部を覆うように、前記ハウジング１の上面側に取り付けられている。このカバー６の前端側には、円弧状の切り欠きからなるカード挿入部６ａが形成されており、これに隣接する右前端部には、切り曲げることにより前記ハウジング１の平坦部１ｄ側へ突出されたばね片６ｂが形成されている。このばね片６ｂは、前記ロックピン２に対応した位置に形成されており、前記ロックピン２を付勢することで、前記ロックピン２の他端側を前記スライド部材４のハート型カム溝４ｅと摺接させるようになっている。
【００３０】
尚、このカバー部材６は前記ハウジング１の収納部１ａに配設された複数のコネクタ端子（図示せず）の上面を覆うように形成されており、外部からの輻射ノイズ等の侵入を防止するシールド板の役目も果たしている。
【００３１】
カード７は、内部に集積回路（ＩＣ）が収納されており、記録媒体として広く使用されているものである。このカード７の一表面には、その一端側に複数の接触端子部（図示せず）が形成されており、この接触端子部が前記ハウジング１の収納部１ａに配設された複数のコネクタ端子（図示せず）と接触することにより、外部に接続された電子機器との種々の情報処理が行われるものとなっている。
【００３２】
また、前記カード７には、前端側の一隅部に、斜面状の切り欠き部７ａが設けられている。前記カード７が前記スライド部材４に挿入された時、この切り欠き部７ａと前端縁が、前記スライド部材４のカード受け部４ｂと係合することによって、前記スライド部材４が前記カード７の挿入に伴って挿入方向へ移動可能となるように形成されている。
【００３３】
また、前記カード７の一側面部には、カードの書き込み禁止を示す識別部である凹溝部７ｂが形成され、この凹溝部７ｂにはスライド可能な識別子７ｃが設けられている。この識別子７ｃをスライド移動させることにより、前記凹溝部７ｂの位置を変更することができ、この位置に応じてカードへの書き込みの可否を変更することが可能となっている。
【００３４】
また、前記カード７の他側面部には、係止用凹部７ｄが形成されている。この係止用凹部７ｄに、前記スライド部材４の係合部材保持部４ｃに揺動可能に保持された前記係合部材５の係止部５ｂが係合することで前記カード７を前記スライド部材４と共に、カードの挿着位置に保持させるものとなっている。
【００３５】
次に、図６及び図７を用いて前記カード７をコネクタ装置に挿入する場合の動作を説明する。
【００３６】
まず、初期の状態、すなわち前記カード７が排出位置にある場合には、前記スライド部材４は前記復帰ばね３の付勢力によりカードの排出方向へ付勢されている。この場合、前記カード７の接触端子部（図示せず）は前記ハウジング１のコネクタ端子（図示せず）とは離間している。この時、前記カード７は、前記係合部材５の係止部５ｂにより前記係止用凹部７ｄが係合されて前記スライド部材４に保持されたものとなっている。（図６）
【００３７】
尚、この時には、前記係合部材５の係止部５ｂに設けられた前記摺動ピン５ｅは、前記規制溝１ｅの前端部に設けられた前記連結溝１ｈ内を、前記係止用凹部７ｄから離脱する方向（反時計方向）へ移動可能となるように形成されており、この状態から前記カード７を取り出す場合には、カード７の取り出しに伴って前記係合部材５の弾性片部５ｃが自らの弾性力で撓むことによって前記摺動ピン５ｅが前記係止用凹部７ｄから離脱する方向（反時計方向）へ移動し、この移動に伴い前記係止部５ｂが前記係止用凹部７ｄから外れることによりカード７を容易に取り出すことが可能となっている。
【００３８】
次に、前記カード７をカードの挿入方向へ押圧してやると、前記カード７の切り欠き部７ａと前端縁が前記スライド部材４のカード受け部４ｂと係合することによって、前記スライド部材４が前記カード７の挿入に伴って挿入方向へ移動可能となり、前記復帰ばね３の付勢力に抗して前記スライド部材４がカードの挿入方向へ移動して、前記ロックピン２の他端部が前記ハート型カム溝４ｅをトレースしてロック位置すなわちカードの挿着位置にロックされる。（図７）
【００３９】
この場合、前記カード７の接触端子部（図示せず）と前記ハウジング１に配設されたコネクタ端子（図示せず）とが接触するものとなる。この時、前記係合部材５の摺動ピン５ｅは、前記規制溝１ｅの第１規制溝１ｆに沿って横方向の動きが規制されてカードの挿入方向に移動するものとなる。
【００４０】
この時、前記係合部材５の係止部５ｂは、前記係止部５ｂの摺動ピン５ｅが、前記規制溝１ｅの第１規制溝１ｆにより縦方向すなわちカードの挿入方向の移動のみに規制されていることから、前記係合部材５は前記摺動ピン５ｅが前記第１規制溝１ｆの壁部と当接して、横方向すなわち前記カード７の係止用凹部７ｄから離脱する方向へは回動することができず、前記カード７はカードの挿着位置に確実に保持されるものとなる。
【００４１】
また、前記前記係止部５ｂには、カードの排出方向と直交する方向に平行面からなる前記係止縁部５ｄが形成されており、この係止縁部５ｄが前記カード７の係止用凹部７ｄの内側縁部と係合することによりカードの排出方向への移動を規制するように形成されていることから、より確実に前記カード７をカードの挿着位置に保持することが可能となっている。
【００４２】
次に、前記カード７を排出する場合には、図７の状態から、更に前記カード７を奥方すなわちカードの挿入方向へ押圧してやると、前記スライド部材４が奥方へ移動して前記ロックピン２の他端部が前記ハート型カム溝４ｅのロック部から外れる。そして、前記カード７への押圧を解除すると、前記スライド部材４は前記復帰ばね３の付勢力によってカードの排出位置である初期位置へ復帰するものとなる。（図６）
【００４３】
このように、前記スライド部材４と前記ハウジング１との間には、前記スライド部材４をカードの挿着位置にロックすると共に、前記スライド部材４をロック位置から一旦奥方へ移動させることによりロック状態を解除させて、前記カード７を前記スライド部材４によって排出させるための前記ハート型カム溝４ｅと、このハート型カム溝４ｅに沿って摺動する前記ロックピン２とからなるロック手段が設けられているので、簡単な構造で、前記カード７をカードの挿着位置にロックできると共に、前記カード７をカードの排出位置に円滑に排出させることができるものとなっている。
【００４４】
次に、図８及び図９を用いて、カードの側縁部に係止用凹部のないタイプのカード８がコネクタ装置に挿入された場合の動作を説明する。
【００４５】
まず、初期の状態、すなわち前記カード８が排出位置にある場合には、前記スライド部材４は前記復帰ばね３の付勢力によりカードの排出方向へ付勢されている。この場合、前記カード７の時と同じく前記カード８の接触端子部（図示せず）は前記ハウジング１のコネクタ端子（図示せず）とは離間している。この時、前記係合部材５の係止部５ｂは前記カード８の側縁部によって押圧され、カードの挿入方向とは交差する方向に付勢されて前記弾性片部５ｃのばね性により反時計方向に弾性変形されたものとなっている。そして、前記係止部５ｂに設けられた前記摺動ピン５ｅが、前記規制溝１ｅの前端部の連結溝１ｈに沿って前記第２規制溝１ｇ方向に移動した状態となっている。（図８）
【００４６】
次に、この状態から前記カード８をカードの挿入方向へ押圧してやると、前記カード８の切り欠き部８ａと前端縁が前記スライド部材４のカード受け部４ｂと係合することによって、前記スライド部材４が前記復帰ばね３の付勢力に抗して前記カード８の挿入に伴って挿入方向へ移動する。この時、前記係合部材５の係止部５ｂに設けられた前記摺動ピン５ｅが、前記規制溝１ｅの連結溝１ｈから前記第２規制溝１ｇへと移動され、前記スライド部材４が前記カード８の挿入に伴って挿入方向へ移動可能となり、前記復帰ばね３の付勢力に抗して前記スライド部材４がカードの挿入方向へ移動して、前記ロックピン２の他端部が前記ハート型カム溝４ｅをトレースしてロック位置すなわちカードの挿着位置にロックされる。（図９）
【００４７】
この場合、前記カード８の接触端子部（図示せず）と前記ハウジング１に配設されたコネクタ端子（図示せず）とが接触するものとなる。この時、前記係合部材５の摺動ピン５ｅは、前記規制溝１ｅの第２規制溝１ｇに沿って横方向の動きが規制されてカードの挿入方向に移動するものとなる。
【００４８】
この時、前記係合部材５の係止部５ｂは、前記係止部５ｂの摺動ピン５ｅが、前記規制溝１ｅの第２規制溝１ｇにより縦方向すなわちカードの挿入方向の移動のみに規制されていることから、前記係合部材５は横方向すなわち前記カード８に向かう方向（時計方向）へは回動することができず、前記カード８は前記係合部材５の係止部５ｂとは当接されずカードの挿着位置に確実に保持されるものとなる。
【００４９】
このように、カードの側縁部に係止用凹部のないタイプのカード８がコネクタ装置に挿入された場合においても、前記規制溝１ｅの前端側に設けられた前記連結溝１ｈを通して前記第２規制溝１ｇに、前記係合部材５の係止部５ｂに設けられた前記摺動ピン５ｅを案内することにより、前記係合部材５を弾性変形させて前記カード８と前記係合部材５の係止部５ｂとの当接を回避させるようにしたことから、前記カード８のコネクタ装置への挿入を可能にして、コネクタ装置のカードの挿着位置へ挿着されるものとしている。
【００５０】
上記実施例の構成によれば、カードが挿着される前記ハウジング１にカードの挿入及び排出に伴いカードと係合してカードの挿入及び排出方向に移動可能に配設される前記スライド部材４に、前記カード７の係止用凹部７ｄに係合する前記係合部材５を設けると共に、前記ハウジング１には、前記スライド部材４がカードの挿入方向へ移動するのに伴って、前記係合部材５を前記収納部１ａ内へ突出する位置へ移動させて前記係止用凹部７ｄに係合させる前記第１規制溝１ｆと、この第１規制溝１ｆに連結され、前記係止用凹部７ｄのないカード８が挿入された時には、前記係止部材５を前記収納部１ａ内へ突出させない位置へ移動させる前記第２規制溝１ｇとを形成するようにしたので、前記係止用凹部７ｄのないカード８が挿入された場合でも、前記係合部材５は前記収納部１ａ内へ突出しない位置に移動するため、前記係合部材５と前記カード８が当接して破損することを防止することができ、且つ、前記係止用凹部７ｄのあるカード７を挿着する場合には挿着位置での保持をより一層高めることが可能となっている。
【００５１】
また、前記係合部材５は、前記スライド部材４に固着される前記固定部５ａと、前記カード７の係止用凹部７ｄに係合される前記係止部５ｂと、この係止部５ｂを前記第１、及び第２規制溝１ｆ、１ｇに沿って前記収納部１ａ内へ突出する位置と、突出しない位置とに弾性変形可能に可動させる前記弾性片部５ｃとから形成したことから、前記係合部材５と前記カード７の係止用凹部７ｄとの係合離脱を、前記第１、及び第２規制溝１ｆ、１ｇと、この第１、及び第２規制溝１ｆ、１ｇに沿って弾性変形可能な弾性片から構成したので、簡単な構成でカードの係合離脱を確実に行うことができるものとなっている。
【００５２】
【発明の効果】
以上説明したように、本発明のカード用コネクタ装置は、カードが挿着される収納部を有するハウジングと、カードの挿入及び排出に伴いカードと係合してカードの挿入及び排出方向に移動可能に配設されたスライド部材と、このスライド部材をカードの挿着位置にロックすると共に、スライド部材をロック位置から奥方へ移動させることによりロックを解除させるロックピン及びこのロックピンが摺動するハート型カム溝からなるロック手段とを備え、スライド部材には、カードの係止用凹部に係合する係合部材が設けられ、ハウジングには、スライド部材がカードの挿入方向へ移動するのに伴って、係合部材を収納部内へ突出する位置へ移動させて係止用凹部に係合させる第１規制溝と、この第１規制溝に連結され、係止用凹部のないカードが挿入された時には、係止部材を収納部内へ突出させない位置へ移動させる第２規制溝とを形成したことから、係止用凹部のないカードが挿入された場合でも、係合部材は収納部内へ突出しない位置に移動するため、係合部材とカードが当接して破損することを防止することができ、且つ、係止用凹部のあるカードを挿着する場合には挿着位置での保持をより一層高めることが可能となる。
【００５３】
また、係合部材は、スライド部材に固着される固定部と、カードの係止用凹部に係合される係止部と、この係止部を第１、及び第２規制溝に沿って収納部内へ突出する位置と突出しない位置とに可動させる弾性片部とから形成したことから、係合部材とカードの係止用凹部との係合離脱を、第１、及び第２規制溝と、この第１、及び第２規制溝に沿って弾性変形可能な弾性片から構成したので、簡単な構成でカードの係合離脱を確実に行うことができる。
【００５４】
また、係止部に、第１、及び第２規制溝と摺動する摺動ピンを形成し、カードの挿着時には摺動ピンが第１規制溝の壁部と当接して、係止部がカードの係止用凹部から離脱するのを規制するようにしたことから、係合部材は摺動ピンが第１規制溝の壁部と当接して、横方向すなわちカードの係止用凹部から離脱する方向へは回動することができないため、カードをカードの挿着位置に確実に保持することができる。
【００５５】
また、係止部には、カードの排出方向と直交する方向に係止縁部が形成されており、この係止縁部が係止用凹部の内側縁部と係合することによりカードの排出方向への移動を規制していることから、係合部材とカードとはカードの排出方向と直交する縁面部同士で係合されることとなり、更に確実にカードを保持することができる。
【００５６】
また、第１、及び第２規制溝には、お互いを連結する連結溝を形成し、カードの挿入及び排出時には摺動ピンが連結溝を通して第１規制溝と第２規制溝との間を移動可能に形成したことから、規制溝の前端側に設けられた連結溝を通して第２規制溝に、摺動ピンを案内することにより、カードと係合部材との当接を回避させるようにしたので、カードの側縁部に係止用凹部のないタイプのカードをコネクタ装置へ挿着することが可能となる。
【図面の簡単な説明】
【図１】本発明の一実施例であるカード用コネクタ装置を示す平面図である。
【図２】本発明の同じくカード用コネクタ装置を示す縦断面図である。
【図３】本発明のカード用コネクタ装置にカードを挿入した状態を示す平面図である。
【図４】本発明のカード用コネクタ装置のハウジングを示す平面図である。
【図５】本発明のカード用コネクタ装置のスライド部材を示す平面図である。
【図６】本発明のカード用コネクタ装置のカードの排出位置（初期位置）を示す部分説明図である。
【図７】本発明のカード用コネクタ装置のカードの挿着位置（ロック位置）を示す部分説明図である。
【図８】本発明のカード用コネクタ装置の係止用凹部のないカードを用いた場合のカードの排出位置（初期位置）を示す部分説明図である。
【図９】本発明のカード用コネクタ装置の係止用凹部のないカードを用いた場合のカードの挿着位置（ロック位置）を示す部分説明図である。
【符号の説明】
１  ハウジング
１ａ  収納部
１ｂ  カード挿入部
１ｃ  ガイド部
１ｄ  平坦部
１ｅ  規制溝
１ｆ  第１規制溝
１ｇ  第２規制溝
１ｈ  連結溝
１ｉ  軸孔
１ｊ  ばね収容部
２  ロックピン
３  復帰ばね
４  スライド部材
４ａ  基部
４ｂ  カード受け部
４ｃ  係合部材保持部
４ｄ  支持孔部
４ｅ  ハート型カム溝
４ｆ  ばね係止部
５  係合部材
５ａ  固定部
５ｂ  係止部
５ｃ  弾性片部
５ｄ  係止縁部
５ｅ  摺動ピン
６  カバー
６ａ  カード挿入部
６ｂ  ばね片
７，８  カード
７ａ，８ａ  切り欠き部
７ｂ  凹溝部
７ｃ  識別子
７ｄ  係止用凹部
【図１】
0004012708.tif 000002
【図２】
0004012708.tif 000003
【図３】
0004012708.tif 000004
【図４】
0004012708.tif 000005
【図５】
0004012708.tif 000006
【図６】
0004012708.tif 000007
【図７】
0004012708.tif 000008
【図８】
0004012708.tif 000009
【図９】
0004012708.tif 000010